(57)【要約】【課題】空気の乱流発生の防止を図ることで、ディスクに異常振動が生じることを抑えることのできるディスク装置を提供する。【解決手段】ディスクを回動させるディスクドライブ装置１０と、このディスクドライブ装置１０を覆うケーストップとを備えるディスク装置とされ、ディスクドライブ装置１０によりディスクが回動させられたときに、ディスクの回動により生じる空気流を整流化させるプレートカバー５０が、ケーストップの内側に装備された。前記ディスクの共振を抑える振動抑制部５５が、前記プレートカバー５０に設けられた。前記ケーストップの内側に、前記空気流を整流化させる多孔性部材が備えられた。前記多孔性部材は、前記ケーストップと、前記プレートカバー５０との間の流体通路に装備された。前記多孔性部材として、スポンジが用いられた。【選択図】図１
2006092593.tif 000002
【特許請求の範囲】
【請求項１】
ディスクを回動させるディスクドライブ装置と、
該ディスクドライブ装置を覆うケーストップと
を備え、
該ディスクドライブ装置により該ディスクが回動させられたときに、該ディスクの回動により生じる空気流を整流化させるプレートカバーが、該ケーストップの内側に装備されたことを特徴とするディスク装置。
【請求項２】
前記ディスクドライブ装置と、
前記ケーストップと
を備えるディスク装置本体が構成され、
該ディスク装置本体に対し前記ディスクが出し入れされ、
前記プレートカバーは、該ケーストップを構成する基壁と、該ディスク装置本体内に収納された該ディスクとの間に位置することを特徴とする請求項１記載のディスク装置。
【請求項３】
前記ディスクの共振を抑える振動抑制部が、前記プレートカバーに設けられたことを特徴とする請求項１又は２記載のディスク装置。
【請求項４】
前記ケーストップの内側に、前記空気流を整流化させる多孔性部材が備えられたことを特徴とする請求項１〜３の何れか１項に記載のディスク装置。
【請求項５】
前記多孔性部材は、前記ケーストップと、前記プレートカバーとの間の流体通路に装備されたことを特徴とする請求項４記載のディスク装置。
【請求項６】
前記多孔性部材は、略シート状に形成され、
前記ケーストップを構成する略板状基壁の内側面に、該多孔性部材の一側面部が装着され、
前記プレートカバーは、略板状に形成され、
該プレートカバーの一側面に、該多孔性部材の他側面部が接することを特徴とする請求項４又は５記載のディスク装置。
【請求項７】
前記多孔性部材として、スポンジが用いられたことを特徴とする請求項４〜６の何れか１項に記載のディスク装置。
【請求項８】
前記ディスクドライブ装置と、
前記ケーストップと、
前記プレートカバーと
を備えるディスク装置本体が構成され、
該ディスク装置本体は、デスクトップ型パーソナルコンピュータに装備可能とされたことを特徴とする請求項１〜７の何れか１項に記載のディスク装置。
【発明の詳細な説明】
【技術分野】
【０００１】
本発明は、例えばパーソナルコンピュータ（Personal Computer ）に装備されるディスク装置に関するものである。
【背景技術】
【０００２】
不図示のディスク装置が用いられて、ディスクのデータが読み出される。また、不図示のディスク装置が用いられて、ディスクにデータが記録される。ディスクとして、例えば、ＣＤ（コンパクトディスク）、ＤＶＤ（デジタルバーサティルディスク／デジタルビデオディスク）などが挙げられる。「ＣＤ」は、「Compact Disc」の略称とされる。また、「ＤＶＤ」は、「Digital Versatile Disc」もしくは「Digital Video Disc」の略称とされる。
【０００３】
ディスク装置に関するものとして、例えば、ディスクの回転により生じるディスク振動を低減可能な構造が採用された光ディスクドライブのカバープレートというものが開示されている（例えば特許文献１参照）。
【特許文献１】特開２００３−２２８９７１号公報（第１，３頁、図４〜図７）
【発明の開示】
【発明が解決しようとする課題】
【０００４】
近年、ディスクに記録されたデータの読出し速度や、ディスクにデータを記録させるときの書込み速度や書換え速度の高速化が要求されつつある。例えば、通常のディスク回転数に対し、８倍速、１２倍速、１６倍速のディスク回転速度で、ディスクにデータを記録させることのできるディスク装置が要求されつつある。
【０００５】
しかしながら、ディスク装置内にディスクが装備されてディスクが高速回転された場合、ディスク周辺の空気がかき乱され、ディスク装置内に空気の乱流が生じることがあった。ディスクの回転により発生された空気の流れが乱流となると、乱流となった空気により、ディスクやディスク装置に異常振動が生じることがあった。
【０００６】
ディスク装置が用いられてディスクにデータが記録されるときに、ディスクに異常振動が生じると、データが正確にディスクに記録されないことが懸念されていた。例えばディスクにデータが記録されるときに、ディスクの高速回転により空気の乱流が生じた場合、ディスクに異常振動が生じる。このような現象が発生すると、ディスクに低品質な記録が行われることが懸念されていた。また、ディスクのデータが読み取られるときに、前記した現象と同様の現象が発生した場合、ディスクのデータを正確に読み取ることができないことも懸念される。
【０００７】
本発明は、上記した点に鑑み、空気の乱流発生の防止を図ることで、ディスクに異常振動が生じることを抑えることのできるディスク装置を提供することを目的とする。
【課題を解決するための手段】
【０００８】
上記目的を達成するために、本発明の請求項１に係るディスク装置は、ディスクを回動させるディスクドライブ装置と、該ディスクドライブ装置を覆うケーストップとを備え、該ディスクドライブ装置により該ディスクが回動させられたときに、該ディスクの回動により生じる空気流を整流化させるプレートカバーが、該ケーストップの内側に装備されたことを特徴とする。
【０００９】
上記構成により、ディスク装置内の空気流は、整流化され易くなる。ディスクドライブ装置によりディスクが回動させられたときに、ディスクの回動により生じる空気流を整流化させるプレートカバーが、ケーストップの内側に設けられているので、ディスク装置内に空気の乱流が生じ、空気の乱流により、ディスクに異常振動が生じるということは、回避され易くなる。従って、ディスクのデータを略正しく読み取ることのできるディスク装置が提供される。
【００１０】
請求項２に係るディスク装置は、請求項１記載のディスク装置において、前記ディスクドライブ装置と、前記ケーストップとを備えるディスク装置本体が構成され、該ディスク装置本体に対し前記ディスクが出し入れされ、前記プレートカバーは、該ケーストップを構成する基壁と、該ディスク装置本体内に収納された該ディスクとの間に位置することを特徴とする。
【００１１】
上記構成により、ディスク装置内の空気流は、整流化され易くなる。ディスクが回動されることにより発生する空気流は、ケーストップを構成する基壁と、ディスク装置本体内に収納されたディスクとの間で整流化され易くなる。これにより、ディスク装置内の空気流は、整流化され易くなる。
【００１２】
請求項３に係るディスク装置は、請求項１又は２記載のディスク装置において、前記ディスクの共振を抑える振動抑制部が、前記プレートカバーに設けられたことを特徴とする。
【００１３】
上記構成により、ディスク装置内のディスクに共振現象が生じ、ディスクに生じた共振により、ディスクのデータを正しく読み取ることができなくなるという不具合の発生は、防止される。振動抑制部を通過した空気流は、ディスクに吹き当てられる。これにより、ディスクの共振は、抑えられる。
【００１４】
請求項４に係るディスク装置は、請求項１〜３の何れか１項に記載のディスク装置において、前記ケーストップの内側に、前記空気流を整流化させる多孔性部材が備えられたことを特徴とする。
【００１５】
上記構成により、ディスク装置内の空気流は、整流化される。ケーストップの内側に、空気流を整流化させる多孔性部材が備えられているので、ディスク装置内で空気流が乱されることは回避される。ディスク装置内の空気が多孔性部材内を通り抜けることにより、空気流は整えられる。従って、ディスクのデータを正確に読み取ることのできるディスク装置が提供される。
【００１６】
請求項５に係るディスク装置は、請求項４記載のディスク装置において、前記多孔性部材は、前記ケーストップと、前記プレートカバーとの間の流体通路に装備されたことを特徴とする。
【００１７】
上記構成により、ディスク装置内における空気流の整流化は、一層、図られる。ケーストップと、プレートカバーとの間の流体通路に、多孔性部材が装備されているので、流体通路を通過する空気は、多孔性部材内を通り抜ける。これにより、ディスク装置内の空気流は、整流化される。
【００１８】
請求項６に係るディスク装置は、請求項４又は５記載のディスク装置において、前記多孔性部材は、略シート状に形成され、前記ケーストップを構成する略板状基壁の内側面に、該多孔性部材の一側面部が装着され、前記プレートカバーは、略板状に形成され、該プレートカバーの一側面に、該多孔性部材の他側面部が接することを特徴とする。
【００１９】
上記構成により、ケーストップを構成する基壁と、プレートカバーとの間の空気流は、より整流化される。ケーストップを構成する略板状基壁の内側面に、略シート状の多孔性部材の一側面部が装着され、略板状に形成されたプレートカバーの一側面に、多孔性部材の他側面部が接するものとされているので、ケーストップと、プレートカバーとの間で、空気流が整流化される。従って、ディスク装置内の空気流は、整流化される。
【００２０】
請求項７に係るディスク装置は、請求項４〜６の何れか１項に記載のディスク装置において、前記多孔性部材として、スポンジが用いられたことを特徴とする。
【００２１】
上記構成により、ディスク装置内の空気流は、低コストで容易に整流化される。多孔性部材として、スポンジが用いられていれば、ディスク装置の価格が極端に上昇されるということは回避される。従って、価格の上昇が抑えられ、且つ、ディスクのデータを略正しく読み取ることのできるディスク装置が提供される。
【００２２】
請求項８に係るディスク装置は、請求項１〜７の何れか１項に記載のディスク装置において、前記ディスクドライブ装置と、前記ケーストップと、前記プレートカバーとを備えるディスク装置本体が構成され、該ディスク装置本体は、デスクトップ型パーソナルコンピュータに装備可能とされたことを特徴とする。
【００２３】
上記構成により、ディスクのデータを迅速に略正しく読み取ることのできるデスクトップ型パーソナルコンピュータ用のディスク装置が提供される。
【発明の効果】
【００２４】
以上の如く、請求項１記載の発明によれば、ディスク装置内の空気流は、整流化され易くなる。ディスクドライブ装置によりディスクが回動させられたときに、ディスクの回動により生じる空気流を整流化させるプレートカバーが、ケーストップの内側に設けられているので、ディスク装置内に空気の乱流が生じ、空気の乱流により、ディスクに異常振動が生じるということは、回避され易くなる。従って、ディスクのデータを略正しく読み取ることが可能なディスク装置を提供することができる。
【００２５】
請求項２記載の発明によれば、ディスク装置内の空気流は、整流化され易くなる。ディスクが回動されることにより発生する空気流は、ケーストップを構成する基壁と、ディスク装置本体内に収納されたディスクとの間で整流化され易くなる。これにより、ディスク装置内の空気流を整流化させ易くすることができる。
【００２６】
請求項３記載の発明によれば、ディスク装置内のディスクに共振現象が生じ、ディスクに生じた共振により、ディスクのデータを正しく読み取ることができなくなるという不具合の発生を、防止させることができる。振動抑制部を通過した空気流は、ディスクに吹き当てられる。これにより、ディスクの共振を抑えることができる。
【００２７】
請求項４記載の発明によれば、ディスク装置内の空気流は、整流化される。ケーストップの内側に、空気流を整流化させる多孔性部材が備えられているので、ディスク装置内で空気流が乱されることは回避される。ディスク装置内の空気が多孔性部材内を通り抜けることにより、空気流は整えられる。従って、ディスクのデータを正確に読み取ることが可能とされたディスク装置を提供することができる。
【００２８】
請求項５記載の発明によれば、ディスク装置内における空気流の整流化は、一層、図られる。ケーストップと、プレートカバーとの間の流体通路に、多孔性部材が装備されているので、流体通路を通過する空気は、多孔性部材内を通り抜ける。これにより、ディスク
装置内の空気流を整流化させることができる。
【００２９】
請求項６記載の発明によれば、ケーストップを構成する基壁と、プレートカバーとの間の空気流は、より整流化される。ケーストップを構成する略板状基壁の内側面に、略シート状の多孔性部材の一側面部が装着され、略板状に形成されたプレートカバーの一側面に、多孔性部材の他側面部が接するものとされているので、ケーストップと、プレートカバーとの間で、空気流が整流化される。従って、ディスク装置内の空気流を整流化させることができる。
【００３０】
請求項７記載の発明によれば、ディスク装置内の空気流は、低コストで容易に整流化される。多孔性部材として、スポンジが用いられていれば、ディスク装置の価格が極端に上昇されるということは回避される。従って、価格の上昇が抑えられ、且つ、ディスクのデータを略正しく読み取ることのできるディスク装置の提供が可能となる。
【００３１】
請求項８記載の発明によれば、ディスクのデータを迅速に略正しく読み取ることが可能とされたデスクトップ型パーソナルコンピュータ用のディスク装置の提供が可能となる。
【発明を実施するための最良の形態】
【００３２】
以下に本発明に係るディスク装置の一実施形態を図面に基づいて詳細に説明する。
【００３３】
図１は、本発明に係るディスク装置の一実施形態を示す平面図、図２は、ディスク装置を構成するケーストップとプレートカバーと多孔性部材とを示す説明図、図３は、多孔性部材が装備されたケーストップを示す平面図、図４は、多孔性部材が装備されたケーストップを示す断面図、図５は、多孔性部材が装備されたケーストップを示す正面図、図６は、プレートカバーを示す平面図、図７は、多孔性部材を示す平面図である。
【００３４】
図１は、ディスク装置を上側から眺めた図とされている。図１に示すディスク装置の裏側がディスク装置の下側とされる。また、筐体３００に対してフロントパネル３５０が装備された側をディスク装置の前側とし、これの逆側をディスク装置の後側とする。なお、この明細書における「上」、「下」、「前」、「後」の定義は、ディスク装置を説明するための便宜上のものとされる。例えば、組み立てられたディスク装置が使用されるときに、ディスク装置の筐体３００の一側壁部３０６側が上側に位置し、筐体３００の他側壁部３０７側が下側に位置するようにされてもよい。
【００３５】
ディスク装置が用いられて、ディスク（図示せず）に記録された情報などのデータが再生される。また、ディスク装置が用いられて、不図示のディスクに情報などのデータの記録が行われる。ディスクとして、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭなどの書込み／消去や書換え可能なタイプの光ディスク（図示せず）などが挙げられる。
【００３６】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「Ｄ
ＶＤ−ＲＡＭ」は、「Digital Versatile Disc Random Access Memory 」の略称とされ、データの読み書き・消去が可能なものとされている。
【００３７】
光ディスク装置は、前記各種光ディスクに記録されたデータを再生させたり、前記書込み可能もしくは書換え可能な各種光ディスクにデータを記録させたりするものとされている。光ディスク装置は、ＣＤ系のディスクと、ＤＶＤ系のディスクとに対応したものとされている。このように、光ディスク装置は、複数のディスクに対応したものとされている。光ディスクとして、ＣＤ系列の光ディスクや、ＤＶＤ系列の光ディスクが用いられて、光ディスク装置の試験が行われた。
【００３８】
光ディスク装置は、不図示の光ディスクを回動させる光ディスクドライブ装置１０（図１）と、不図示の光ディスクに対してデータを読み書き可能な光ピックアップ装置２０と、不図示の光ディスクが装備される合成樹脂製トレー（図示せず）と、不図示の合成樹脂製トレーの前側に取り付けられるトレー用合成樹脂製フロントパネル２５０と、外部のものに対して光ディスクドライブ装置１０と光ピックアップ装置２０とを覆う金属製ケーストップ８０（図３〜図５）と、前記光ディスクドライブ装置１０（図１）と、前記光ピックアップ装置２０と、不図示の前記トレーと、前記ケーストップ８０（図３〜図５）とが組み付けられ、外部のものに対して、光ディスクドライブ装置１０や、光ピックアップ装置２０などの内部のものを保護する合成樹脂製筐体３００（図１）と、合成樹脂製筐体３００の前側に装備される筐体用合成樹脂製フロントパネル３５０と、前記合成樹脂製筐体３００の下側に装着され内部のものを保護する金属製下部カバー（図示せず）とを備えるものとして構成されている。
【００３９】
不図示のトレーが用いられて、光ディスク装置内に不図示の光ディスクが収容されたのちに、光ディスクドライブ装置１０（図１）を構成するターンテーブル１４と、ケーストップ８０（図３〜図５）の略円形状装着部８４に移動可能に装備された合成樹脂製ディスク固定部（図示せず）とにより、光ディスクは、回動可能な状態で光ディスク装置内に固定される。
【００４０】
光ピックアップ装置２０は、光ディスク装置内において、光ディスクの半径方向に沿って移動可能なものとされている。また、光ピックアップ装置２０は、不図示のディスクの下側に位置するものとされる。
【００４１】
光ディスクドライブ装置１０（図１）により、ＣＤ系列の光ディスクなどが高速回転させられたときに、光ディスクの回転により生じる空気流を整流化させる略平板状の金属製プレートカバー５０（図１，図２，図６）が、金属製ケーストップ８０の内側に装備される。このプレートカバー５０は、空気の流れを整える板金製整流板として形成されている。ケーストップ８０（図３〜図５）に設けられた略円形状装着部８４に対応して、プレートカバー５０（図６）に、略円形状切欠き部５４が形成されている。
【００４２】
空気の流れを整える略平板状の金属製プレートカバー５０が、光ディスク装置を構成する金属製ケーストップ８０の内側に装備されていれば、光ディスク装置内の空気流は、整流化され易くなる。光ディスクドライブ装置１０により、不図示のＣＤ系列の光ディスクなどが高速回転させられたときに、光ディスクの回転により生じる空気流を整流化させる略平板状の金属製プレートカバー５０が、金属製ケーストップ８０の内側に設けられているので、光ディスク装置内に空気の乱流が生じ、空気の乱流により、光ディスクに異常振動が生じるということは、回避され易くなる。従って、光ディスクのデータを略正しく読み取ることや、光ディスクにデータを略正しく記録させることが可能とされた光ディスク装置が、光ディスク装置の組立メーカや、光ディスク装置の使用者などに提供される。
【００４３】
ケーストップ８０が製造されるときに、例えばプレス成形機（図示せず）が用いられて、金属板（図示せず）に打抜き加工と、折曲げ加工とが行われることで、板金製ケーストップ８０が形成される。ケーストップ８０の基壁８１が略直角に折り曲げられることで、基壁８１の両側に、一対の側壁８６，８７が形成される。ケーストップ８０の基壁８１の両側に設けられた各側壁８６，８７は、不図示のプレス成形機などが用いられて、不図示の金属板から板金製ケーストップ８０が打抜き形成されるときに、同時にプレス成形される。各側壁８６，８７は、不図示のプレス成形機に装備された金型（図示せず）により、金属製板材の両側が下側に向けて略直角に折り曲げられることで形成される。
【００４４】
上記合成樹脂製筐体３００（図１）に、上記筐体用フロントパネル３５０と、不図示の上記金属製下部カバーと、上記光ディスクドライブ装置１０と、上記光ピックアップ装置２０と、上記金属製プレートカバー５０（図１，図２，図６）と、上記板金製ケーストップ８０（図３〜図５）とが装着されることで、前記合成樹脂製筐体３００（図１）と、前記筐体用フロントパネル３５０と、不図示の前記金属製下部カバーと、前記光ディスクドライブ装置１０と、前記光ピックアップ装置２０と、前記金属製プレートカバー５０（図１，図２，図６）と、前記板金製ケーストップ８０（図３〜図５）とを備える光ディスク装置本体が構成される。
【００４５】
光ディスク（図示せず）が装備される不図示のトレーが用いられて、光ディスク装置本体に対し光ディスクが出し入れされる。光ディスク装置本体に対し不図示のトレーは、開閉自在に装備されている。光ディスク装置本体に対して不図示のトレーが閉じられたときに、筐体用フロントパネル３５０にトレー用フロントパネル２５０が合せられる（図１）。
【００４６】
板金製プレートカバー５０（図１，図２，図６）は、ケーストップ８０（図２〜図５）を構成する略平板状の基壁８１（図３〜図５）と、光ディスク装置本体の収容部５ｒ（図１）内に収納された不図示の光ディスクとの間に位置する。詳しく説明すると、ケーストップ８０（図３〜図５）を構成する略平板状の板金製基壁８１の下側に、板金製プレートカバー５０（図１，図２，図６）が位置する。また、板金製プレートカバー５０（図１，図２，図６）の下側に、光ディスク装置本体の収容部５ｒ（図１）内に収納された光ディスク（図示せず）が位置する。また、光ディスク装置本体内に収容された不図示の光ディスクの下側に、合成樹脂製トレー（図示せず）が位置する。また、不図示の合成樹脂製トレーの下側に、光ピックアップ装置２０および光ディスクドライブ装置１０が位置する。
【００４７】
ケーストップ８０（図３〜図５）を構成する略平板状の板金製基壁８１の下側に、板金製プレートカバー５０（図１，図２，図６）が位置し、板金製プレートカバー５０の下側に、光ディスク装置本体の収容部５ｒ（図１）内に収納された光ディスク（図示せず）が位置するものとされていれば、光ディスク装置内の空気流は、整流化され易くなる。不図示の光ディスクが高速回転されることにより発生する空気流は、ケーストップ８０を構成する略平板状の基壁８１と、光ディスク装置本体内に収納された不図示の光ディスクとの間で整流化され易くなる。これにより、光ディスク装置内の空気流は、整流化され易くなる。
【００４８】
不図示の光ディスクの共振を抑える一対の振動抑制部５５，５５（図６）が、プレートカバー５０の基壁５１の一端縁部５１ａに設けられている（図１，図２，図６）。プレートカバー５０に設けられた振動抑制部５５は、空気流の通過が可能とされるために、プレートカバー５０を構成する略平板状基壁５１に対し、下側に向けて略凹状に形成されている。
【００４９】
プレートカバー５０が製造されるときに、例えばプレス成形機（図示せず）が用いられ
て、金属板（図示せず）に打抜き加工と、折曲げ加工とが行われることで、板金製プレートカバー５０が形成される。プレートカバー５０（図６）の基壁５１の一端縁部５１ａに設けられた振動抑制部５５は、不図示のプレス成形機などが用いられて、不図示の金属板から板金製プレートカバー５０が打抜き形成されるときに、同時にプレス成形される。振動抑制部５５は、不図示のプレス成形機に装備された金型（図示せず）により、金属製プレートカバー５０を構成する略平板状基壁５１の一端縁部５１ａの一部が下側に向けて押圧されることで形成される。これにより、振動抑制部５５は、基壁５１よりもやや下側に向けてへこまされた略矩形状の凹部として形成される。
【００５０】
光ディスクの共振を抑える一対の振動抑制部５５，５５が、プレートカバー５０の略平板状基壁５１の一端縁部５１ａに設けられていれば、光ディスク装置内の不図示の光ディスクに共振現象が生じ、この光ディスクに生じた共振により、光ディスクに記録されたデータを正確に読み取ることができなくなるという不具合の発生や、光ディスクにデータを正確に記録させることができなくなるという不具合の発生は、防止されることとなる。一対の振動抑制部５５，５５を通過した空気流は、不図示の光ディスクの上面に吹き当てられる。これにより、光ディスクの共振を抑えることができる。プレートカバー５０に設けられた振動抑制部５５は、空気流を光ディスクに向けて案内する略凹状の空気流案内部５５として形成されている。
【００５１】
光ディスク装置の設計仕様などにより、例えばディスク装置本体の共振を抑える複数の振動抑制部材（図示せず）が、プレートカバー（５０）に設けられたものも使用可能とされる。また、例えば、光ディスク装置の設計仕様などにより、板金製プレートカバー５０に設けられた前記一対の振動抑制部５５，５５に代えて、ディスク装置本体の共振を抑える一対の振動抑制部材（５５，５５）が、板金製プレートカバー（５０）に装着されたものも使用可能とされる。
【００５２】
図６の如く、プレートカバー５０の略平板状基壁５１の一側部５６と、他側部５７とに、複数の略Ｕ字状切欠き形状をした位置合せ部５８ｕが設けられている。また、プレートカバー５０の略平板状基壁５１の一側部５６側に、ねじ（図示せず）等の止具に対応した通し孔状止具取付部５８ａが設けられている。また、プレートカバー５０の略平板状基壁５１の他側部５７側に、ねじ（図示せず）等の止具に対応した通し孔状止具取付部５８ｂが設けられている。また、プレートカバー５０の略平板状基壁５１における他端縁部５１ｂ側の一側部５６側に、ねじ（図示せず）等の止具に対応した通し孔状止具取付部５８ｃが設けられている。また、プレートカバー５０の略平板状基壁５１における他端縁部５１ｂ側の他側部５７側に、ねじ（図示せず）等の止具に対応した通し孔状止具取付部５８ｄが設けられている。各通し孔状止具取付部５８ａ，５８ｂ，５８ｃは、略丸孔状に形成されているが、通し孔状止具取付部５８ｄは、略長円状の通し孔形状に形成されている。
【００５３】
プレートカバー５０に設けられた複数の略Ｕ字状位置合せ部５８ｕに対応して、筐体３００（図１）を構成する一側壁部３０６と、他側壁部３０７とに、複数の略円筒状位置決め部３０８ｔが設けられている。また、プレートカバー５０（図６）に設けられた複数の通し孔状止具取付部５８ａ，５８ｂ，５８ｃ，５８ｄに対応して、筐体３００（図１）を構成する一側壁部３０６と、他側壁部３０７とに、ねじ（図示せず）等の止具に対応した複数のねじ穴状固定部３０８ａ，３０８ｂ，３０８ｃ，３０８ｄが設けられている。
【００５４】
筐体３００（図１）にプレートカバー５０（図６）が取り付けられるときに、筐体３００（図１）に設けられた複数の略円筒状位置決め部３０８ｔに、プレートカバー５０（図６）に設けられた複数の略Ｕ字状位置合せ部５８ｕが合せられる（図１）。これにより、筐体３００に設けられた複数のねじ穴状固定部３０８ａ，３０８ｂ，３０８ｃ，３０８ｄと、プレートカバー５０（図６）に設けられた複数の通し孔状止具取付部５８ａ，５８ｂ
，５８ｃ，５８ｄとは、容易で迅速に略合せられる（図１）。
【００５５】
また、プレートカバー５０（図６）に設けられた通し孔状止具取付部５８ｄが、略長円状の通し孔形状に形成されていることにより、筐体３００（図１）にプレートカバー５０（図６）が取り付けられるときの取付作業は、容易で迅速に行われる。筐体３００（図１）にプレートカバー５０（図６）が取り付けられるときに、筐体３００（図１）の寸法誤差や、プレートカバー５０（図６）の寸法誤差は、プレートカバー５０に設けられた略長円状止具取付部５８ｄにより吸収される。
【００５６】
筐体３００（図１）に対するプレートカバー５０（図６）の取付作業を、より容易で迅速に行えるものとされるために、例えばプレートカバー（５０）に設けられた通し孔状止具取付部（５８ｂ）が、略長円状の通し孔形状に形成されたものも使用可能とされる。
【００５７】
プレートカバー５０に設けられた複数の通し孔状止具取付部５８ａ，５８ｂ，５８ｃ，５８ｄと、筐体３００（図１）に設けられた複数のねじ穴状固定部３０８ａ，３０８ｂ，３０８ｃ，３０８ｄとが略合せられたのちに、プレートカバー５０（図６）の各通し孔状止具取付部５８ａ，５８ｂ，５８ｃ，５８ｄと、筐体３００（図１）の各ねじ穴状固定部３０８ａ，３０８ｂ，３０８ｃ，３０８ｄとに、ねじ（図示せず）などの止具が通され螺合される。これにより、プレートカバー５０（図６）は、ディスク装置を構成する筐体３００（図１）に確実に固定される。
【００５８】
上記プレートカバー５０は、光ディスク装置内の光ディスクドライブ装置１０が用いられて、ＣＤ系列の不図示の光ディスクが高速回転させられたときに、ＣＤ系光ディスクの高速回転による空気流の乱流化によって、光ディスクに異常振動が生じることを防止させるために、有効なものとされている。しかしながら、光ディスク装置内の光ディスクドライブ装置１０が用いられて、ＤＶＤ系列の不図示の光ディスクが高速回転させられたときに、ＤＶＤ系光ディスクの高速回転による空気流の乱流化によって、光ディスクに異常振動が生じることを防止させるためには、空気流を整流化させる上記プレートカバー５０と、空気流を整流化させる多孔性部材７０（図２，図７）との両方のものを備える光ディスク装置が、有効なものとされた。
【００５９】
図３〜図５の如く、金属製ケーストップ８０を構成する略平板状の基壁８１の内側に、光ディスク装置内の空気流をさらに整流化させる略シート状の柔軟性多孔性部材７０（図７）が装備されている。この多孔性部材７０は、乱流となった空気流や乱流となりつつある空気流を整流化させる層流形成部材としての役割を果たすものとされている。他のものに対して、多孔性部材７０が分かり易いものとされるために、便宜上、多孔性部材７０は、斜線が付されたものとして示されている（図２〜図５，図７）。ケーストップ８０（図３〜図５）に設けられた略円形状装着部８４に対応して、多孔性部材７０（図７）に、略半円状切欠き部７４が形成されている。
【００６０】
空気の流れを整える多孔性部材７０が、金属製ケーストップ８０の内側に装備されていれば、光ディスク装置内の空気流は、さらに整流化される。ケーストップ８０を構成する略平板状の基壁８１の内側に、空気流をさらに整流化させる略シート状の柔軟性多孔性部材７０が備えられているので、光ディスク装置内で空気流が乱されることは回避される。光ディスク装置内の空気が略シート状の柔軟性多孔性部材７０内を通り抜けることにより、空気流は整えられる。従って、光ディスクのデータを略正しく読み取ることや、光ディスクにデータを略正しく記録させることが可能とされた光ディスク装置を、光ディスク装置の組立メーカや、光ディスク装置の使用者などに提供することができる。
【００６１】
この場合、光ディスク装置を構成する光ディスクドライブ装置１０により、不図示のＤ
ＶＤ系列の光ディスクが、通常の回転速度に対して略１２倍速の回転速度で高速回転させられて使用されても、光ディスク装置は、正常に作動する。不図示のＤＶＤ系列の光ディスクが、通常の回転速度に対して略１２倍速の回転速度で高速回転させられても、光ディスク装置の収容部５ｒ（図１）内の空気流が乱流となって、不図示の光ディスクに異常振動が生じるという不具合は、発生しなかった。
【００６２】
多孔性部材７０（図７）は、ケーストップ８０（図３〜図５）と、プレートカバー５０（図６）との間の流体通路１００（図２）に装備されている。空気流が通る流体通路１００は、光ディスク装置の上側に設けられている。不図示の光ディスクの上側に、流体通路１００が形成され、流体通路１００の出入口１０２に、多孔性部材７０が位置するものとされている。
【００６３】
ケーストップ８０（図３〜図５）と、プレートカバー５０（図６）との間の流体通路１００（図２）に、多孔性部材７０（図７）が装備されていれば、光ディスク装置内における空気流の整流化は、一層、図られる。ケーストップ８０（図２）と、プレートカバー５０との間の流体通路１００に、多孔性部材７０が装備され、流体通路１００の出入口１０２に、多孔性部材７０が位置するものとされているので、流体通路１００を通過する空気は、流体通路１００の出入口１０２に備えられた多孔性部材７０内を通り抜ける。これにより、光ディスク装置内の空気流を整流化させることができる。
【００６４】
ディスク装置内の構造により、例えば流体通路１００の前側の出入口１０１が、空気流入口１０１となったときに、流体通路１００の後側の出入口１０２は、空気流出口１０２となる。
【００６５】
多孔性部材７０（図７）は、略シート状に形成されている（図４，図５）。ケーストップ８０（図４）を構成する略板状基壁８１の内側面８１ｎに、多孔性部材７０の一側面部７１ｍ（図４，図７）が装着される。詳しく説明すると、接着剤（図示せず）が用いられて、ケーストップ８０（図４）を構成する略板状基壁８１の内側面８１ｎに、多孔性部材７０の略平面状上側面部７１ｍが接着されている。前記接着剤に代えて、例えば両面粘着テープ（図示せず）が用いられて、ケーストップ８０（図４）を構成する略板状基壁８１の内側面８１ｎに、多孔性部材７０の略平面状上側面部７１ｍが添着されたものも使用可能とされた。また、多孔性部材７０の下側に位置するプレートカバー５０（図６）は、略板状に形成されている。プレートカバー５０の一側面５１ｍに、多孔性部材７０（図４，図５）の他側面部７１ｎの一部が接する（図２）。
【００６６】
このような構造の光ディスク装置が構成されていれば、ケーストップ８０を構成する基壁８１と、プレートカバー５０との間の空気流は、より整流化される。ケーストップ８０を構成する略板状基壁８１の内側面８１ｎに、略シート状の多孔性部材７０の略平面状一側面部７１ｍが接着され、略板状に形成されたプレートカバー５０の一側面５１ｍに、多孔性部材７０の略平面状他側面部７１ｎの一部が接するものとされているので、ケーストップ８０と、プレートカバー５０との間で、空気流が整流化される。従って、光ディスク装置内の空気流を整流化させることができる。
【００６７】
プレートカバー５０（図６）の上側面５１ｍに、多孔性部材７０（図４，図５）の下側面部７１ｎの一部が接したときに（図２）、プレートカバー５０の凹状振動抑制部５５と、多孔性部材７０の略平面状下側面部７１ｎ（図４，図５）とにより、空気流を整流化させる一対の空気流出入口５５ｓ，５５ｓ（図２）が、光ディスク装置本体内に構成される。これにより、プレートカバー５０（図６）の他側面５１ｎの下側で高速回転させられる不図示の光ディスクに、異常振動が生じるということは、回避される。プレートカバー５０の他側面５１ｎは、プレートカバー５０の下側面５１ｎとされている。
【００６８】
上記多孔性部材７０（図２〜図５，図７）として、スポンジ７０が用いられた。
【００６９】
多孔性部材７０として、スポンジ７０が用いられることにより、光ディスク装置内の空気流は、低コストで容易に整流化される。多孔性部材７０として、スポンジ７０が用いられていれば、光ディスク装置の価格が極端に上昇されるということは回避される。従って、価格の上昇が抑えられ、且つ、光ディスクのデータを略正しく読み取ることや、光ディスクにデータを略正しく記録させることが可能とされた光ディスク装置を、光ディスク装置の組立メーカや、光ディスク装置の使用者などに提供することができる。
【００７０】
ケーストップ８０（図３〜図５）に、スポンジ７０が接着されていることから、スポンジ７０が装着されたケーストップ８０は、例えばスポンジケーストップ８０などと呼ばれる。
【００７１】
内部のものを保護する合成樹脂製筐体３００（図１）に、合成樹脂製筐体３００の前側に装備される筐体用合成樹脂製フロントパネル３５０と、内部のものを保護する不図示の金属製下部カバーと、不図示の光ディスクを回転駆動させる光ディスクドライブ装置１０（図１）と、不図示の光ディスクに対してデータを読み書き可能な光ピックアップ装置２０と、不図示の光ディスクの回転により生じる空気流を整流化させる金属製プレートカバー５０（図１，図２，図６）と、外部のものに対して、光ディスクドライブ装置１０や、光ピックアップ装置２０などの内部のものを覆うと共に、光ディスク装置内の空気流を整流化させる多孔性部材７０が装着された金属製ケーストップ８０（図３〜図５）とが組み付けられることで、上記合成樹脂製筐体３００（図１）と、上記筐体用合成樹脂製フロントパネル３５０と、不図示の上記金属製下部カバーと、上記光ディスクドライブ装置１０と、上記光ピックアップ装置２０と、上記金属製プレートカバー５０（図１，図２，図６）と、上記多孔性部材７０と、上記板金製ケーストップ８０（図３〜図５）とを備える光ディスク装置本体が構成される。
【００７２】
金属製ケーストップ８０（図３〜図５）と、不図示の金属製下部カバーとが組み合わせられることで、光ディスク装置の内部部品を保護する金属製ケースが構成される。
【００７３】
図３の如く、ケーストップ８０の一側壁８６と、他側壁８７とに、略突出片状案内部８９ｍ，８９ｎが設けられている。各突出片状案内部８９ｍ，８９ｎは、ケーストップ８０の内側に向けて折曲げ形成されている。また、ケーストップ８０の略突出片状案内部８９ｍに、略通し孔状位置合せ部８９ｐが設けられている。また、ケーストップ８０の略突出片状案内部８９ｍ，８９ｎに、ねじ（図示せず）等の止具に対応したねじ孔状固定部８９ｑが設けられている。
【００７４】
ケーストップ８０に設けられた略突出片状案内部８９ｍ，８９ｎに対応して、筐体３００（図１）を構成する一側壁部３０６と、他側壁部３０７とに、略溝状ガイド部３０９ｍ，３０９ｎが設けられている。また、ケーストップ８０（図３）の案内部８９ｍに設けられた略通し孔状位置合せ部８９ｐに対応して、筐体３００（図１）のガイド部３０９ｍに、略円筒状位置決め部３０９ｐが設けられている。また、ケーストップ８０（図３）の案内部８９ｍ，８９ｎに設けられたねじ孔状固定部８９ｑに対応して、筐体３００（図１）のガイド部３０９ｍ，３０９ｎに、ねじ（図示せず）等の止具に対応した通し孔状止具取付部３０９ｑが設けられている。
【００７５】
プレートカバー５０が装着された筐体３００（図１）に、スポンジケーストップ８０（図３）が取り付けられて、各装置や各部品を備える筐体３００（図１）の内部がスポンジケーストップ８０により覆われるときに、筐体３００に設けられた略溝状ガイド部３０９
ｍ，３０９ｎに、ケーストップ８０（図３）に設けられた略突出片状案内部８９ｍ，８９ｎが合せられる。そのときに、筐体３００（図１）の略溝状ガイド部３０９ｍに設けられた略円筒状位置決め部３０９ｐに、ケーストップ８０（図３）の略突出片状案内部８９ｍに設けられた略通し孔状位置合せ部８９ｐが合せられる。また、筐体３００（図１）の略溝状ガイド部３０９ｍ，３０９ｎに設けられた通し孔状止具取付部３０９ｑと、ケーストップ８０（図３）の略突出片状案内部８９ｍ，８９ｎに設けられたねじ孔状固定部８９ｑとが合せられる。
【００７６】
筐体３００（図１）に設けられた複数の通し孔状止具取付部３０９ｑと、ケーストップ８０に設けられた複数のねじ孔状固定部８９ｑとが略合せられたのちに、筐体３００（図１）の各通し孔状止具取付部３０９ｑと、ケーストップ８０（図３）の各ねじ孔状固定部８９ｑとに、ねじ（図示せず）などの止具が通され螺合される。これにより、ケーストップ８０は、ディスク装置を構成する筐体３００（図１）に確実に固定される。このようにして、ディスク装置本体が組み立てられる。
【００７７】
光ディスク装置は、例えば、デスクトップ型パーソナルコンピュータや、ノート型パーソナルコンピュータなどの各種パーソナルコンピュータ（何れも図示せず）に装備可能なものとされる。デスクトップ型コンピュータは、卓上型のコンピュータとされ、机の上で使用可能なコンピュータとされているが、容易に持運びができないタイプのものとされている。
【００７８】
デスクトップ型パーソナルコンピュータに対し、ノート型パーソナルコンピュータは、軽量化、軽薄化が要求されることから、スリム型ドライブが装備されたディスク装置を備える構造のものとされている。ノート型のパーソナルコンピュータは、デスクトップ型のパーソナルコンピュータと異なる構造のものとされている。ノート型のパーソナルコンピュータは、ディスプレイと、パーソナルコンピュータ本体とが、一体構造のものとされ、パーソナルコンピュータ本体に対し、ディスプレイが折りたたまれることで、薄型サイズのものとなる。ノート型のパーソナルコンピュータは、このものが平面視されたときに略Ａ４判もしくはこれ以下の大きさの汎用パーソナルコンピュータとされ、ブック型パーソナルコンピュータとも呼ばれている。
【００７９】
不図示のトレーが出入り自在に装着された光ディスク装置本体は、デスクトップ型パーソナルコンピュータ（図示せず）に装備可能なものとされている。
【００８０】
このような構造の光ディスク装置が構成されていれば、不図示の光ディスクに対し、データの読み書きが略正しく迅速に実行可能なデスクトップ型パーソナルコンピュータ（図示せず）用の光ディスク装置を、光ディスク装置の組立メーカや光ディスク装置の使用者などに提供することができる。データの読み書き速度の高速化に対応可能なデスクトップ型パーソナルコンピュータ用光ディスク装置の提供が可能となる。
【００８１】
上述した如く、金属製プレートカバー５０と、柔軟性多孔性部材７０とを備える光ディスク装置は、ＤＶＤ系列の光ディスクが使用されるときに、通常のディスク回転速度に対して略１２倍速のディスク回転速度で使用可能な光ディスク装置とされる。また、光ディスク装置の設計仕様などにより、ＤＶＤ系列の光ディスクが使用されるときに、通常のディスク回転速度に対して略１６倍速のディスク回転速度で不図示の光ディスクが高速回転させられても、光ディスクに異常振動が生じるという不具合は、発生しなかった。このように、金属製プレートカバー５０と、柔軟性多孔性部材７０とを備える光ディスク装置は、ＤＶＤ用光ディスクが用いられる通常の回転速度に対し、１〜１６倍速のディスク回転速度で使用可能な光ディスク装置とされている。また、この光ディスク装置は、ＣＤ系光ディスクや、ＤＶＤ系光ディスク等の複数のメディアに対応可能なものとされている。
【００８２】
上記ディスク装置は、例えば、ノート型パーソナルコンピュータや、デスクトップ型パーソナルコンピュータなどのパーソナルコンピュータや、ＣＤプレーヤなどの音響機器や、ＤＶＤプレーヤなどの音響／映像機器などに装備可能なものとされる。本発明のディスク装置は、図示されたものに限定されるものではない。本発明のものは、その要旨を逸脱しない範囲において、種々変更可能なものとされる。
【図面の簡単な説明】
【００８３】
【図１】本発明に係るディスク装置の一実施形態を示す平面図である。
【図２】ディスク装置を構成するケーストップとプレートカバーと多孔性部材とを示す説明図である。
【図３】多孔性部材が装備されたケーストップを示す平面図である。
【図４】多孔性部材が装備されたケーストップを示す断面図である。
【図５】多孔性部材が装備されたケーストップを示す正面図である。
【図６】プレートカバーを示す平面図である。
【図７】多孔性部材を示す平面図である。
【符号の説明】
【００８４】
１０    光ディスクドライブ装置（ディスクドライブ装置）
５０    プレートカバー
５１ｍ  上側面（一側面）
５５    空気流案内部（振動抑制部）
７０    スポンジ（多孔性部材）
７１ｍ  上側面部（一側面部）
７１ｎ  下側面部（他側面部）
８０    スポンジケーストップ（ケーストップ）
８１    基壁
８１ｎ  内側面
１００  流体通路
【図１】
2006092593.tif 000003
【図２】
2006092593.tif 000004
【図３】
2006092593.tif 000005
【図４】
2006092593.tif 000006
【図５】
2006092593.tif 000007
【図６】
2006092593.tif 000008
【図７】
2006092593.tif 000009